(57)【要約】【課題】ファイルの選択を支援する情報処理装置を提供すること。【解決手段】本発明は、少なくとも２つのフォルダを使用するアプリケーションソフトを実行する情報処理装置１０であって、外部からファイルを取得して、外部から取得したファイルのための第一のフォルダに格納する格納手段１４と、前記第一のフォルダに格納されたファイルを、外部の出力装置で出力するファイルの出力に関する第二のフォルダにコピーするファイル処理手段１６と、前記第二のフォルダのファイルに関するファイル情報を表示するファイル情報表示手段１５と、を有する。【選択図】図１
2018026054.tif 000002
【特許請求の範囲】
【請求項１】
少なくとも２つのフォルダを使用するアプリケーションソフトを実行する情報処理装置であって、
外部からファイルを取得して、外部から取得したファイルのための第一のフォルダに格納する格納手段と、
前記第一のフォルダに格納されたファイルを、外部の出力装置で出力するファイルの出力に関する第二のフォルダにコピーするファイル処理手段と、
前記第二のフォルダのファイルに関するファイル情報を表示するファイル情報表示手段と、
を有する情報処理装置。
【請求項２】
前記ファイル情報表示手段が表示した前記第二のフォルダから、出力されるファイルの選択を受け付ける受付手段を有し、
前記ファイル情報表示手段は、前記第二のフォルダのファイルに関するファイル情報を表示する際、選択されたファイルに選択された旨を表示するものであり、
前記ファイル情報表示手段は、前記受付手段が選択を受け付けなくても、前記ファイル処理手段がコピーしたファイルに前記選択された旨を表示する請求項１に記載の情報処理装置。
【請求項３】
前記ファイル情報表示手段は、前記ファイル処理手段がコピーしたファイルに前記選択された旨を表示した後で、再度、前記ファイル処理手段がコピーしたファイルの前記ファイル情報を表示する際、前記選択された旨を表示しない請求項２に記載の情報処理装置。
【請求項４】
前記ファイル情報表示手段が前記ファイル情報を表示する画面が他の画面に遷移した場合、
前記ファイル処理手段は、前記第一のフォルダから第二のフォルダにコピーしたファイルを削除する請求項１〜３のいずれか１項に記載の情報処理装置。
【請求項５】
前記ファイル処理手段は、前記第一のフォルダに格納されたファイルのファイル名又は拡張子によって、該ファイルを前記第二のフォルダにコピーするか否かを決定する請求項１〜４のいずれか１項に記載の情報処理装置。
【請求項６】
前記ファイル処理手段は、前記第一のフォルダに格納されたファイルが含むテキストデータによって、該ファイルを前記第二のフォルダにコピーするか否かを決定する請求項１〜４のいずれか１項に記載の情報処理装置。
【請求項７】
前記格納手段は、原稿を読み取るスキャナ機能とファイルを印刷するプリンタ機能を有する装置から、前記スキャナ機能が生成したファイルを取得し、
前記受付手段は、前記プリンタ機能で印刷するファイルの選択を受け付ける、
請求項２又は３に記載の情報処理装置。
【請求項８】
少なくとも２つのフォルダを使用するアプリケーションソフトを実行する情報処理装置を、
外部からファイルを取得して、外部から取得したファイルのための第一のフォルダに格納する格納手段と、
前記第一のフォルダに格納されたファイルを、外部の出力装置で出力するファイルの出力に関する第二のフォルダにコピーするファイル処理手段と、
前記第二のフォルダのファイルに関するファイル情報を表示するファイル情報表示手段、として機能させるプログラムと、
前記情報処理装置から取得したファイルを出力する装置と、を有するシステム。
【請求項９】
少なくとも２つのフォルダを使用するアプリケーションソフトを実行する情報処理装置にインストールされると、
前記情報処理装置を、
外部からファイルを取得して、外部から取得したファイルのための第一のフォルダに格納する格納手段と、
前記第一のフォルダに格納されたファイルを、外部の出力装置で出力するファイルの出力に関する第二のフォルダにコピーするファイル処理手段と、
前記第二のフォルダのファイルに関するファイル情報を表示するファイル情報表示手段、として機能させるためのプログラム。
【発明の詳細な説明】
【技術分野】
【０００１】
本発明は、情報処理装置、システム及びプログラムに関する。
【背景技術】
【０００２】
コンビニエンスストアなどの店舗に設置されている複合機等の画像処理装置で、ユーザが持っている書類をコピーしたり、クラウドなどに予め登録してある文書データをプルプリントしたりするサービスが提供されている。また、携帯端末などに記憶されている文書データをユーザが店舗の複合機で印刷するサービスも提供され始めている。
【０００３】
また、複合機はスキャナの機能を有しているため、店舗側はスキャナを用いたサービスを提供することも可能である（例えば、特許文献１参照。）。特許文献１には、写真や書類などの紙媒体をユーザが複合機を用いてスキャンすることにより電子データ化し、携帯端末が電子データ化されたファイルを無線で受信する技術について開示されている。
【０００４】
このように複合機のスキャナ機能を利用することで、ユーザは携帯端末で写真や書類を電子データとして携帯できる。したがって、ユーザは紙媒体の資料を持ち運ぶ必要がなくなる。また、電子データ化した写真ファイルや文書ファイルは同じく複合機で再び紙媒体で印刷することが可能である。この際に、例えば複合機等のファイルを出力する装置において写真として印刷するのに適したファイル形式や文書として印刷するのに適したファイル形式など、出力方法に対してその出力方法で出力可能なファイル形式が予め決められている場合がある。
【発明の概要】
【発明が解決しようとする課題】
【０００５】
しかしながら、携帯端末に送信された画像データのファイルをユーザが複合機で印刷することは必ずしも容易でないという問題があった。まず、携帯端末で動作するアプリが管理するフォルダは複合機等の外部の装置で電子データ化されたファイルが格納されるスキャンフォルダと、複合機で印刷するプリントフォルダとで分けられている。これは、原稿が電子データ化されたファイルだけでなく、携帯端末で撮影した画像データなどもユーザが印刷する場合があるので、スキャナ用のフォルダだけでなく印刷用のフォルダもあることが使い勝手がよいためである。このため、複合機で電子データ化されたファイルを複合機で印刷する際、ユーザはスキャンフォルダのファイルをプリントフォルダに移動させる必要があり、手間がかかってしまう。
【０００６】
また、スキャンフォルダに多くのファイルが格納されると、ユーザが外部の出力する装置において出力させたいファイルを選択することも容易でなくなってくる。したがって、複合機等の外部の装置で電子データ化されたファイルからユーザが印刷したいファイルを携帯端末で選択することが困難になる場合があった。
【０００７】
本発明は、上記課題に鑑み、ファイルの選択を支援する情報処理装置について説明する。
【課題を解決するための手段】
【０００８】
本発明は、少なくとも２つのフォルダを使用するアプリケーションソフトを実行する情報処理装置であって、外部からファイルを取得して、外部から取得したファイルのための第一のフォルダに格納する格納手段と、前記第一のフォルダに格納されたファイルを、外部の出力装置で出力するファイルの出力に関する第二のフォルダにコピーするファイル処理手段と、前記第二のフォルダのファイルに関するファイル情報を表示するファイル情報表示手段と、を有する。
【発明の効果】
【０００９】
ファイルの選択を支援する情報処理装置を提供することができる。
【図面の簡単な説明】
【００１０】
【図１】本実施形態の画像処理システムの概略的な動作を説明する図の一例である。
【図２】本実施形態の画像処理システムの使用形態を説明する図の一例である。
【図３】画像処理システムの一例の構成図である。
【図４】携帯端末の一例のハードウェア構成図である。
【図５】複合機の一例のハードウェア構成図である。
【図６】写真印刷装置の一例のハードウェア構成図である。
【図７】画像処理システムの一例の機能ブロック図である。
【図８】ファイル記憶部の構成を模式的に説明する図の一例である。
【図９】画像処理システムの動作手順を説明するシーケンス図の一例である。
【図１０】サービス選択画面、読取条件設定画面の一例を示す図である。
【図１１】読み取りスタート画面、プレビュー画面の一例を示す図である。
【図１２】ＰＩＮコード入力画面、料金画面の一例を示す図である。
【図１３】終了画面の一例を示す図である。
【図１４】アプリ起動画面、Wi-Fiプリント画面、スキャン取り込み画面、ＰＩＮコード画面、スキャンフォルダ画面の一例を示す図である。
【図１５】画像処理システムの動作手順を説明するシーケンス図の一例である。
【図１６】写真印刷設定画面、画像選択画面の一例を示す図である。
【図１７】プリントスタート画面、印刷中画面の一例を示す図である。
【図１８】終了画面の一例を示す図である。
【図１９】アプリ起動画面、Wi-Fiプリント画面、スキャンフォルダ画面、プリント画面、送信画面、送信完了画面の一例を示す図である。
【図２０】スキャンフォルダに格納されているファイルを模式的に示す図である。
【図２１】プリント画面におけるファイル情報の表示態様を説明する図の一例である。
【図２２】プリント画面の表示中に自動コピーされたファイルを示す図の一例である。
【図２３】ファイル表示部がプリント画面の表示を行う手順を示すフローチャート図の一例である。
【図２４】ファイル処理部がスキャンフォルダに格納されたファイルをプリントフォルダにコピーする手順を示すフローチャート図の一例である。
【図２５】ファイル表示部が行う処理を説明するフローチャート図の一例である。
【図２６】プリント画面が非表示にされる際にファイル処理部が行う処理を示す一例のフローチャート図である。
【図２７】クラウドプリントにおいて、画像処理システムの動作手順を説明するシーケンス図の一例である。
【図２８】アプリ起動画面、認証画面、クラウドプリント画面の一例を示す図である。
【発明を実施するための形態】
【００１１】
以下、本発明を実施するための形態について図面を参照しながら説明する。
図１は、本実施形態の画像処理システム１００の概略的な動作を説明する図の一例である。
（１）携帯端末１０を携帯するユーザＵは例えばコンビニエンスストアなどに赴き、電子データ化したい原稿９を複合機３０にセットする。携帯端末１０と複合機３０は有線又は無線で接続され、通信が可能な状態となる。
（２）複合機３０は原稿９を電子データ化したファイルを携帯端末１０に送信する。
（３）ファイルは携帯端末１０の予め決まったスキャンフォルダに格納される。
（４）図１（ｂ）は携帯端末１０のスキャンフォルダ等を示す図である。複合機で電子データ化されたファイル「scan1.pdf」がスキャンフォルダに格納されている。
（５）携帯端末１０はスキャンフォルダに新たに格納されたファイルを自動的にプリントフォルダにコピーする。このようなコピーを以下では自動コピーという場合がある。自動コピーとは、ユーザがコピー操作をしなくてもファイルがコピーされることをいう。
（６）図１（ｃ）に示すように、携帯端末１０のプリントフォルダに「scan1.pdf」がコピーされる。
【００１２】
したがって、ユーザが「scan1.pdf」を印刷する際、スキャンフォルダからプリントフォルダへ「scan1.pdf」をコピーする操作を行う必要がない。ユーザはスキャンフォルダを開かずにプリントフォルダから「scan1.pdf」を選択して印刷することができるのでユーザの手間を低減できる。
【００１３】
＜用語について＞
ファイルとは、情報処理装置におけるデータの管理単位の１つで、記憶装置などにデータを記録する際に記録単位となるひとまとまりのデータをいう。
【００１４】
出力とは、ファイルに対する情報処理装置の処理結果を後段に渡すことをいう。例えば、ファイルに格納したり、ディスプレイに送信して表示させたり、プリンタに送信して印刷させたりすることをいう。
【００１５】
フィルだとは、ハードディスクや光ディスクなどの記憶装置において、ファイルを分類・整理して記憶するための保管場所である。ディレクトリと呼ばれる場合がある。
【００１６】
外部とは、情報処理装置以外の装置や機器をいう。ファイル情報とはファイルをユーザが把握できる情報であればよい。
【００１７】
＜使用形態の概略＞
図２を用いて本実施形態の画像処理システム１００の使用形態を説明する。図２は、本実施形態の画像処理システム１００の使用形態を説明する図の一例である。複合機３０は写真印刷装置５０と通信可能に接続されており、写真印刷装置５０はアクセスポイント４５を有している。アクセスポイント４５は写真印刷装置５０の外部にあってもよい。複合機３０は普通紙に印刷する機能（プリンタ機能）と原稿を読み取る機能（スキャナ機能）と有する装置であり、写真印刷装置５０は印画紙（感光材料を塗布した用紙）に印刷する印刷装置である。
【００１８】
写真印刷装置５０は、ディスプレイ４６を有しており、ユーザＵとのユーザインタフェースを提供する。また、写真印刷装置５０は写真取り出し口４１、メディアスロット４７、硬貨投入口４８、タッチエリア４２、レシート出力口４３、及び、釣り銭取り出し口４４を有する。
【００１９】
また、写真印刷装置５０は複合機３０のプリンタドライバを有している。これは、携帯端末１０がプリンタドライバを有していない場合にも、写真印刷装置５０がプリンタドライバを実行し印刷設定を受け付け、複合機３０に適した形式のラスタライズを行うためである。
【００２０】
複合機３０は、画像形成装置やプリンタなどと呼ばれる機器であるが、本実施形態ではプリンタ機能とスキャナ機能を有するものとして説明する。プリンタ機能とスキャナ機能は別々の装置が提供してもよい。また、複合機３０は、ＭＦＰ（Multi Function Peripheral）、複写機、コピー機などと呼ばれていてもよい。
【００２１】
ユーザＵは携帯端末１０を写真印刷装置５０のタッチエリア４２に接近させる。これにより、携帯端末１０は、写真印刷装置５０の無線通信装置３０９と通信し、アクセスポイント４５を介して複合機３０と通信するための通信情報を無線通信装置３０９から取得する。無線通信装置３０９はＩＣタグやBluetooth（登録商標）に対応した通信装置である。したがって、携帯端末１０は写真印刷装置５０とアクセスポイント４５を介して通信可能になる。
【００２２】
携帯端末１０は情報処理装置としての機能を有し、印刷可能なファイルを記憶している。あるいは、携帯端末１０はクラウド上の文書サーバに蓄積されているファイルを複合機３０に印刷させる機能を有している（文書サーバに蓄積されているファイルをダウンロードする機能も有している）。携帯端末１０は、具体的には、スマートフォン、携帯電話、タブレット端末、ゲーム機、ＰＤＡ（Personal Digital Assistant）、デジタルカメラ、ウェアラブルＰＣ（Personal Computer）、ノートＰＣなどである。
【００２３】
ユーザＵはスキャナ機能やプリンタ機能を利用するために必要なお金を写真印刷装置５０に投入しておく。まず、スキャナ機能を利用する場合、ユーザＵはディスプレイ４６のタッチパネルを介してスキャナによる読取条件を設定する。原稿９のスキャンが行われると電子化されたファイルが複合機３０から写真印刷装置５０に送信される。所定の手順で携帯端末１０と写真印刷装置５０とが通信接続すると、写真印刷装置５０が携帯端末１０にファイルを送信する。また、プリンタ機能を利用する場合、ユーザＵは携帯端末１０のファイルを選択して、写真印刷装置５０との通信接続を行い、写真印刷装置５０にファイルを送信する。ユーザＵはディスプレイ４６のタッチパネルを介して、写真印刷装置５０又は複合機３０による印刷の印刷設定を入力する。プレビューなどを確認すると、写真プリントの場合は写真印刷装置５０が印刷し、普通紙プリントの場合は複合機３０に送信して複合機３０がファイルを印刷する。
【００２４】
なお、写真印刷装置５０と複合機３０は別々の装置でなくてもよく、一つの装置として動作してもよい。図示するように別々の装置として構成されているのは、既存の複合機３０の転用が可能であるためである。
【００２５】
＜システム構成＞
図３は、本実施例に係る画像処理システム１００の一例の構成図である。画像処理システム１００は、携帯端末１０と、複合機３０と、写真印刷装置５０とを有する。携帯端末１０と写真印刷装置５０とは有線又は無線のネットワークＮを介して通信可能なように構成されている。通信可能であるとは、通信する機能を備えることをいう。
【００２６】
また、写真印刷装置５０や複合機３０による印刷は使用条件を満たしたユーザＵに提供されうるサービスであり、常に、携帯端末１０が写真印刷装置５０と通信しているとは限らない。なお、使用条件とは、料金の投入であったり、通信する機能を有していることなどである。このため、携帯端末１０はネットワークＮに接続しておらず、オンデマンドでネットワークＮに接続する。ネットワークＮとしては、大きく有線と無線とに分けられる。有線の場合、ユーザＵが保持するケーブルの一端を携帯端末１０に接続し、他端を写真印刷装置５０に接続する。ケーブルはどのようなものでもよいが例えばマイクロＵＳＢなどが知られている。
【００２７】
また、無線の場合、アクセスポイント４５を利用するインフラストラクチャモードによる無線ＬＡＮがある。また、アクセスポイントを使用しないＷｉ−Ｆｉ  Ｄｉｒｅｃｔやアドホックモードによる無線ＬＡＮがある（いずれもＰ２Ｐ通信になる）。ただし、ネットワークＮはこれらに限られない。例えば、ネットワークＮはＷＡＮやインターネットを含んでいてもよいし、一部に携帯電話網を含んでいてもよい。また、赤外線通信、Ｂｌｕｅｔｏｏｔｈ（登録商標）などを利用したネットワークでもよい。
【００２８】
写真印刷装置５０は無線通信装置３０９を内蔵している。携帯端末１０と無線通信装置３０９は近距離無線通信を介して通信可能なように構成されている。無線通信装置３０９は例えばＮＦＣ(Near Field Communication)に対応したＩＣタグ、Bluetooth（登録商標）などである。また、ＱＲコード（登録商標）などが外部から読み取れるように貼付されていてもよい。
【００２９】
携帯端末１０には、写真印刷装置５０に機能の提供（例えば印刷対象データに印刷指示を行う、原稿９をスキャンさせる、ＦＡＸ送信させる、コピーさせるなど）を要求することができるアプリケーションソフトウェア（以下、単にアプリという）がインストールされている。ユーザＵは写真印刷装置５０を操作して、印刷指示に係る印刷対象データを含む印刷ジョブ、スキャンジョブ、ＦＡＸ送信ジョブ、及び、コピージョブなどを生成させる。写真印刷装置５０はこれらのジョブを複合機３０に送信する。
【００３０】
また、携帯端末１０は、後述するように近距離無線通信装置を備えている。ユーザＵは、携帯端末１０を写真印刷装置５０のタッチエリア４２にかざすことにより無線通信装置３０９と通信し、写真印刷装置５０と通信を行うためのＩＰアドレスなどを含む通信情報を取得する。そして、携帯端末１０は、取得した通信情報を使用して写真印刷装置５０と通信することで、スキャンジョブを実行させたり印刷ジョブを実行させたりする。
【００３１】
なお、アプリは複合機３０と通信して写真印刷装置５０にジョブの実行を要求するブラウザ、文書作成ソフト、ビューワなどのソフトウェアでもよい。
【００３２】
写真印刷装置５０はユーザＵから設定を受け付ける機能、携帯端末１０と通信する機能、ジョブを写真印刷装置５０と複合機３０で振り分ける機能、課金する機能等を有する。写真印刷装置５０は印画紙に印刷する機能を有する。すなわち、レーザ光で印画紙を感光させ、現像液で化学変化により色素を発色定着させることで高画質な写真プリントを行う。ただし、インクジェット方式で光沢紙に印刷してもよい。
【００３３】
写真印刷装置５０と複合機３０は有線又は無線で通信する。写真印刷装置５０は印刷対象データを含む印刷ジョブを複合機３０に送信したり、複合機３０からスキャンジョブで作成された画像データを受信する。写真印刷装置５０と複合機３０はＵＳＢケーブルやＬＡＮケーブルなどで接続されてもよいし、アクセスポイントを介して無線で通信してもよい。
【００３４】
複合機３０は、電子写真方式で画像データを印刷する。あるいはインクジェット方式で印刷してもよい。また、複合機３０はスキャナ機能を有している。また、複合機３０はプリンタ機能とスキャナ機能を有する装置に限られず、複数の出力方法でファイルを出力する外部の出力装置であればよい。例えば、ファクシミリ装置、プロジェクタ、ＨＵＤ（Head Up Display）装置、電子黒板、デジタルサイネージなどもファイルを出力する出力装置に含まれる。ファクシミリ装置の場合、携帯端末１０は例えば選択可能なファイルをファイル形式で切り替える。また、プロジェクタ、ＨＵＤ、電子黒板及びデジタルサイネージの場合、携帯端末１０は出力可能（選択可能）なファイルをファイル形式で切り替える。なお、外部の出力装置は出力方法が異なる２つ以上の出力装置が通信可能に構成されていてもよい。
【００３５】
また、必ずしも複合機３０は出力する機能を有していなくてもよい。あるいは、携帯端末１０と複合機３０が通信しなくてもよい。例えば、携帯端末１０が異なる複数の処理を実行するものであり、ファイル形式によって可能な処理が異なるような場合、本実施形態のファイルの表示方法を適用できる。例えば、翻訳処理、ＯＣＲ処理、検索処理をファイルに施すためユーザがファイルを選択する場合を考える。ＯＣＲ処理は文書を含む画像データに対して適用可能であり、検索処理は透明テキストを有するＰＤＦファイルや文書ファイルに対し適用可能であり、翻訳処理は文書ファイルに対し適用可能である。
【００３６】
＜ハードウェア構成＞
≪携帯端末１０≫
本実施例に係る携帯端末１０は、例えば図４に示すようなハードウェア構成により実現される。図４は、本実施例に係る携帯端末１０の一例のハードウェア構成図である。図４に示す携帯端末１０は、入力装置１０１、表示装置１０２、外部Ｉ／Ｆ１０３、ＲＡＭ（Random Access Memory）１０４、ＲＯＭ（Read Only Memory）１０５、ＣＰＵ（Central Processing Unit）１０６、通信Ｉ／Ｆ１０７、ＳＳＤ（Solid State Drive）１０８、及び近距離無線通信装置１０９などを備え、それぞれがバスＢで相互に接続されている。
【００３７】
入力装置１０１は、例えば、タッチパネルであり、携帯端末１０に各操作信号を入力するのに用いられる。なお、入力装置１０１は、キーボードやマウスなどであってもよい。表示装置１０２は、例えば、ＬＣＤ（Liquid Crystal Display）などであり、携帯端末１０による処理結果を表示する。
【００３８】
外部Ｉ／Ｆ１０３は、外部装置とのインタフェースである。外部装置には、記録媒体１０３ａなどがある。また、外部Ｉ／Ｆ１０３には写真印刷装置５０と接続するための有線のケーブルが接続される。記録媒体１０３ａには、本実施形態の表示方法を実現するプログラムが格納され得る。携帯端末１０は外部Ｉ／Ｆ１０３を介して、記録媒体１０３ａの読み取り及び／又は書き込みを行うことができる。
【００３９】
記録媒体１０３ａは、例えば、ＳＤメモリカード（SD Memory card）などの記録媒体である。記録媒体１０３ａは、ＵＳＢメモリ（Universal Serial Bus memory）、ＤＶＤ（Digital Versatile Disk）、ＣＤ（Compact Disk）、フレキシブルディスクなどの記録媒体であってもよい。
【００４０】
ＲＡＭ１０４は、プログラムやデータを一時保持する揮発性の半導体メモリ（記憶装置）である。ＲＯＭ１０５は、電源を切ってもプログラムやデータを保持することができる不揮発性の半導体メモリ（記憶装置）である。ＲＯＭ１０５には、携帯端末１０の起動時に実行されるＢＩＯＳ（Basic Input/Output System）、ＯＳ設定、及びネットワーク設定などのプログラムやデータが格納されている。
【００４１】
ＣＰＵ１０６は、ＲＯＭ１０５やＳＳＤ１０８などの記憶装置からプログラムやデータをＲＡＭ１０４上に読み出し、処理を実行することで、携帯端末１０全体の制御や機能を実現する演算装置である。
【００４２】
通信Ｉ／Ｆ１０７は、ネットワークＮを介した通信を行うためのインタフェースである。例えば、通信Ｉ／Ｆ１０７は、携帯端末１０をネットワークＮを介して写真印刷装置５０に接続するためのインタフェースである。また、通信Ｉ／Ｆ１０７は、携帯電話網やインターネット等に接続するためのインタフェースであってもよい。具体的には、無線ＬＡＮの通信装置、携帯電話網を介した通信装置などである。
【００４３】
ＳＳＤ１０８は、プログラム１０８ｐやデータを格納している不揮発性の記憶装置である。格納されるプログラム１０８ｐやデータには、例えば携帯端末１０全体を制御する基本ソフトウェアであるＯＳ（Operating System）や、ＯＳ上において各種機能を提供するアプリなどがある。ＳＳＤ１０８は格納しているプログラムやデータを所定のファイルシステム及び／又はＤＢ（データベース）により管理している。なお、携帯端末１０は、ＳＳＤ１０８の代わりに又はＳＳＤ１０８と併せて、ＨＤＤ（Hard Disk Drive）等を備えていてもよい。
【００４４】
近距離無線通信装置１０９は、例えば、ＮＦＣの通信規格にしたがった通信装置である。例えば、リーダ・ライタなどと呼ばれる場合がある。また、Bluetooth（登録商標）などの通信装置でもよい。これにより、携帯端末１０は、近距離無線通信装置１０９を介して写真印刷装置５０の無線通信装置３０９とデータ通信を行うことができる。
【００４５】
本実施例に係る携帯端末１０は、上記したハードウェア構成により後述するような各種処理を実現できる。
【００４６】
<<複合機３０>>
本実施例に係る複合機３０は、例えば図５に示すようなハードウェア構成により実現される。図５は、本実施例に係る複合機の一例のハードウェア構成図である。図５に示す複合機３０は、コントローラ２０１、操作パネル２０２、外部Ｉ／Ｆ２０３、通信Ｉ／Ｆ２０４、プリンタ２０５及びスキャナ２０６などを有している。
【００４７】
コントローラ２０１はＣＰＵ２１１、ＲＡＭ２１２、ＲＯＭ２１３と、ＮＶＲＡＭ２１４、ＨＤＤ２１５を有する。ＲＯＭ２１３は、各種プログラムやデータが格納されている。ＲＡＭ２１２はプログラムやデータを一時保持する。ＮＶＲＡＭ２１４は、例えば設定情報等が格納されている。また、ＨＤＤ２１５は各種のプログラム２１５ｐやデータが格納されている。
【００４８】
ＣＰＵ２１１は、ＲＯＭ２１３やＮＶＲＡＭ２１４、ＨＤＤ２１５などからプログラム２１５ｐやデータ、設定情報等をＲＡＭ２１２上に読み出し、処理を実行することで、複合機３０全体の制御や機能を実現する。
【００４９】
操作パネル２０２はユーザＵからの入力を受け付ける入力部と、表示を行う表示部とを備えている。本実施形態では複合機３０の操作パネル２０２は使用されないが、操作パネル２０２で読取条件や印刷設定を受け付けてもよい。
【００５０】
外部Ｉ／Ｆ２０３は外部装置とのインタフェースである。外部装置には、記録媒体２０３ａや写真印刷装置５０等がある。これにより、複合機３０は外部Ｉ／Ｆ２０３を介して写真印刷装置５０と通信できる。なお、記録媒体２０３ａには、フレキシブルディスク、ＣＤ、ＤＶＤ、ＳＤメモリカード、ＵＳＢメモリなどがある。
【００５１】
通信Ｉ／Ｆ２０４は、ネットワークＮを介した通信を行うためのインタフェースである。本実施形態では、複合機３０はネットワークＮに接続しなくてよい
プリンタ２０５は、印刷対象データを印刷して出力するための印刷装置である。スキャナ２０６は原稿９を光学的に読み取って電子データに変換する読み取り装置である。
【００５２】
本実施例に係る複合機３０は、上記したハードウェア構成により後述するような各種処理を実現できる。
【００５３】
<<写真印刷装置５０のハードウェア構成>>
図６は、写真印刷装置５０のハードウェア構成図の一例を示す。写真印刷装置５０は、一般的なＰＣやサーバ等の情報処理装置と同様の構成に加え、写真印刷装置５０に特有の構成を有する。
【００５４】
写真印刷装置５０は、ＣＰＵ３０１、ＲＡＭ３０２、ＲＯＭ３０３、ディスプレイ４６、タッチパネル３０５、ネットワークＩ／Ｆ３０６、ＨＤＤ３０７、外部Ｉ／Ｆ３０８、無線通信装置３０９及びＩ／Ｆ３１０がバスを介して接続されている。また、Ｉ／Ｆ３１０にはメディアＩ／Ｆ３１１、写真搬送部３１２、写真印刷ユニット３１３、レシート印刷装置３１４及び課金装置３１５が接続されている。
【００５５】
ＣＰＵ３０１は演算手段であり、ＨＤＤ３０７からＲＡＭ３０２に展開されたプログラム３０７ｐを実行し図６に示された各機能を制御することで写真印刷装置全体の動作を制御する。ＲＡＭ３０２は、情報の高速な読み書きが可能な揮発性の記憶媒体であり、ＣＰＵ３０１が情報を処理する際の作業領域として用いられる。
【００５６】
ＲＯＭ３０３は、読み出し専用の不揮発性記憶媒体であり、ファームウェア等のプログラムやＢＩＯＳ設定など格納されている。ＨＤＤは、情報の読み書きが可能な不揮発性の記憶媒体であり、ＯＳや写真印刷装置用のプログラム等が格納されている。
【００５７】
外部Ｉ／Ｆ３０８は、外部装置や記憶媒体が接続されるインタフェースであり、例えばＵＳＢケーブルなどが接続される。本実施形態では外部Ｉ／Ｆ３０８に複合機３０が接続されているものとする。
【００５８】
無線通信装置３０９は、例えばＮＦＣなどの通信規格のＩＣタグである。あるいは、Bluetoothなどの通信装置でもよい。無線通信装置３０９は携帯端末１０の近距離無線通信装置１０９の接近を検出すると、近距離無線通信装置１０９と通信して携帯端末１０に通信情報を送信する。無線通信装置３０９は、写真印刷装置５０の筐体の内部の所定位置に配置されて構成されているが、写真印刷装置５０の外部に配置されていてもよい。無線通信装置３０９が提供する通信情報は、リーダ・ライタなどを用いて管理者が書き換えることが可能である。
【００５９】
また、無線通信装置３０９は、写真印刷装置５０と一体である必要はなく、写真印刷装置５０の近くや写真印刷装置５０とは別の装置、又は、案内板などに配置されていてもよい。また、複合機３０が無線通信装置３０９を有していてもよい。
【００６０】
Ｉ／Ｆ３１０は、メディアＩ／Ｆ３１１、写真搬送部３１２、写真印刷ユニット３１３、レシート印刷装置３１４及び課金装置３１５と、バスＢとの動作クロックの違いを調整して、メディアＩ／Ｆ３１１、写真搬送部３１２、写真印刷ユニット３１３、レシート印刷装置３１４及び課金装置３１５からバスＢ又はその逆の通信を制御する。また、Ｉ／Ｆ３１０はメディアＩ／Ｆ３１１、写真搬送部３１２、写真印刷ユニット３１３、レシート印刷装置３１４及び課金装置３１５からの通信を調停する。
【００６１】
メディアＩ／Ｆ３１１はＵＳＢメモリやＳＤメモリなどの記憶媒体が接続されるインタフェースである。本実施形態ではメディアＩ／Ｆ３１１に接続された記憶媒体からファイルを読み出して印刷することができる。
【００６２】
写真搬送部３１２は、印刷された写真をユーザＵが取り出すための機構であり、紙搬送機構や写真取り出し口４１などが相当する。写真印刷ユニット３１３は、印画紙に写真を印刷する装置であり、レーザの光源、露光装置、及び現像器等を有する。レシート印刷装置３１４は、例えば熱転写方式の印刷装置であり原稿９の読み取り数、印刷枚数、単価、合計金額などをレシートとして印刷する。
【００６３】
課金装置３１５は、投入された硬化の金種と数を判定し投入金額を算出し、また、スキャンジョブと印刷ジョブの進捗に応じて投入金額から単価を減じる。残金はＣＰＵ３０１に通知され、ＣＰＵ３０１はスキャンジョブと印刷ジョブを継続するかどうかを判定する。また、ユーザＵが返金する操作を行うと残金を釣り銭取り出し口４４から返金する。
【００６４】
＜機能について＞
画像処理システム１００は、例えば図７に示すような機能ブロックにより表すことができる。図７は、本実施例に係る画像処理システム１００の一例の機能ブロック図である。
【００６５】
<<携帯端末の機能>>
画像処理システム１００の携帯端末１０は、情報取得部１１、ＵＩ表示部１２、操作受付部１３、端末通信部１４、ファイル処理部１６及び認証部１７などを有する。携帯端末１０が有するこれら各機能部は、図４に示された各構成要素のいずれかが、ＳＳＤ１０８からＲＡＭ１０４に展開されたプログラム１０８ｐに従ったＣＰＵ１０６からの命令により動作することで実現される機能又は手段である。このプログラム１０８ｐには画像処理システム１００に対応したアプリが含まれている。
【００６６】
また、携帯端末１０は、ＲＡＭ１０４やＳＳＤ１０８などにより実現され、各種情報を記憶部する記憶部１９を有する。記憶部１９には、通信情報１９１及びファイル形式情報１９２等が記憶され、また、ファイル記憶部１９３が構築される。通信情報の一例を表１に示し、ファイル形式情報を表２に示し、ファイル記憶部１９３を図８にて説明する。
【００６７】
情報取得部１１は、ＣＰＵ１０６がプログラム１０８ｐを実行することや近距離無線通信装置１０９を制御することなどにより実現され、写真印刷装置５０の無線通信装置３０９から通信情報１９１を取得する。情報取得部１１は通信情報１９１を記憶部１９に記憶させる。これにより、端末通信部１４は写真印刷装置５０と通信することができる。
【００６８】
ＵＩ表示部１２は、ＣＰＵ１０６がプログラム１０８ｐを実行することや表示装置１０２を制御することなどにより実現され、ＵＩ（ユーザインタフェース）画面の生成及び表示を行う。また、ＵＩ表示部１２はファイル表示部１５を有している。ファイル表示部１５は、ファイル記憶部１９３に記憶されているファイルをＵＩとして表示する際、ファイル情報の表示態様を制御する。なお、ファイル情報とは、ファイルに関する情報をいい、例えばファイル名、タイムスタンプ（作成日時、更新日時等）、及び、選択状態などである。
【００６９】
操作受付部１３は、ＣＰＵ１０６がプログラム１０８ｐを実行することや入力装置１０１を制御することなどにより実現され、ユーザＵによる携帯端末１０への操作を受け付ける。
【００７０】
端末通信部１４は、ＣＰＵ１０６がプログラム１０８ｐを実行することや通信Ｉ／Ｆ１０７を制御することなどにより実現され、通信情報１９１を用いて写真印刷装置５０と各種のデータを送受信する。
【００７１】
ファイル処理部１６は、ＣＰＵ１０６がプログラム１０８ｐを実行すること等により実現され、ファイルに関する処理を行う。例えば、ファイル情報の更新を行い、ファイルをコピーしたり、ファイル移動したり、削除したり、クラウドから取得したりする。
【００７２】
認証部１７は、ＣＰＵ１０６がプログラム１０８ｐを実行すること等により実現され、ユーザの認証に関する処理を行う
<<写真印刷装置の機能>>
次に、写真印刷装置５０は、情報提供部５１、操作受付部５２、携帯通信部５３、全体制御部５４、写真印刷部５５、画面表示部５６、複合機通信部５７、及び通信部５８などを有する。写真印刷装置５０が有するこれら各機能部は、図６に示された各構成要素のいずれかが、ＨＤＤ３０７からＲＡＭ３０２に展開されたプログラムに従ったＣＰＵ３０１からの命令により動作することで実現される機能又は手段である。
【００７３】
情報提供部５１は、ＣＰＵ３０１がプログラムを実行することや無線通信装置３０９を制御することなどにより実現され、通信情報を携帯端末１０に提供する。
【００７４】
操作受付部５２は、ＣＰＵ３０１がプログラムを実行することやタッチパネル３０５を制御することなどにより実現され、ユーザＵによる写真印刷装置５０への操作を受け付ける。
【００７５】
携帯通信部５３は、ＣＰＵ３０１がプログラムを実行することやネットワークＩ／Ｆ３０６を制御することなどにより実現され、携帯端末１０と各種情報の送受信を行う。
【００７６】
写真印刷部５５は、ＣＰＵ３０１がプログラムを実行することや写真印刷ユニット３１３及び写真搬送部３１２などを制御することなどにより実現され、写真を印刷する。
【００７７】
画面表示部５６は、ＣＰＵ３０１がプログラムを実行することやディスプレイ４６を制御することなどにより実現され、ユーザＵが写真印刷装置５０を操作するための各種の画面の生成及び表示を行う。
【００７８】
複合機通信部５７は、ＣＰＵ３０１がプログラムを実行することや外部Ｉ／Ｆ３０８を制御することなどにより実現され、複合機３０と各種情報の送受信を行う。
【００７９】
通信部５８は、ＣＰＵ３０１がプログラムを実行することやネットワークＩ／Ｆ３０６を制御することなどにより実現され、ネットワークＮを介して各種のサーバなどと通信する。
【００８０】
全体制御部５４はＣＰＵ３０１がプログラムを実行することなどにより実現され、写真印刷装置５０の全体的な動作を制御する。
【００８１】
<<複合機の機能>>
次に、複合機３０は、普通紙印刷部３１、全体制御部３２、装置通信部３３、及び原稿読取部３４などを有する。複合機３０が有するこれら各機能部は、図５に示された各構成要素のいずれかが、ＨＤＤ２１５からＲＡＭ２１２に展開されたプログラムに従ったＣＰＵ２１１からの命令により動作することで実現される機能又は手段である。
【００８２】
普通紙印刷部３１は、ＣＰＵ２１１がプログラム２１５ｐを実行することやプリンタ２０５を制御することなどにより実現され、普通紙に画像データを印刷する。
【００８３】
装置通信部３３は、ＣＰＵ２１１がプログラム２１５ｐを実行することや外部Ｉ／Ｆ２０３を制御することなどにより実現され、写真印刷装置５０と各種情報の送受信を行う。
【００８４】
原稿読取部３４は、ＣＰＵ２１１がプログラム２１５ｐを実行することやスキャナ２０６を制御することなどにより実現され、原稿９を読み取って画像データを生成する。
【００８５】
全体制御部は、ＣＰＵ２１１がプログラム２１５ｐを実行することなどにより実現され、複合機３０の全体的な動作を制御する。
【００８６】
＜情報提供部（無線通信装置）が記憶している通信情報＞
情報提供部（無線通信装置）５１が記憶している通信情報について表１を用いて説明する。この通信情報は携帯端末１０の記憶部１９に記憶される。
【００８７】
【表１】
2018026054.tif 000003
表１は通信情報１９１の一例を示す。通信情報１９１は、ネットワークＮを介して携帯端末１０が写真印刷装置５０と通信を行うための情報である。通信情報１９１には、ネットワークＮにおける写真印刷装置５０のＩＰアドレス、ネットワークＮを識別するためのＳＳＩＤ（Service Set Identifier）、ネットワークＮにおける暗号化方式、パスワード、複合機３０のＨＴＴＰ（HyperText Transfer Protocol）ポート番号又はＨＴＴＰＳ（HTTP over SSL/TLS）ポート番号などの情報を含む。なお、携帯端末１０がデータを暗号化して通信しない場合、パスワードがなくても通信自体は可能である。
【００８８】
【表２】
2018026054.tif 000004
表２はファイル形式情報１９２の一例を示す。ファイル形式情報１９２は、普通紙プリントと写真プリントのそれぞれに対応するファイル形式を示す。例えば、ＪＰＥＧ及びＴＩＦＦのファイル形式は普通紙プリントと写真プリントに対応し、ＢＭＰ及びＰＮＧは写真プリントにのみ対応し、ＰＤＦは普通紙プリントにのみ対応する。これは、ＢＭＰ及びＰＮＧは画像データの場合がほとんどなので普通紙プリントされる可能性がほとんどないためである。また、写真に印刷するデータがＰＤＦファイルで用意されることはほとんどないためである。こうすることで、ユーザが誤って普通紙プリントしたり、写真プリントすることを抑制できる。ただし、ファイル形式によって対応するプリント形式に違いがあるのには種々の理由があり、固定的なものではない。このため、表２の内容も一例に過ぎない。
【００８９】
＜ファイル記憶部について＞
図８はファイル記憶部１９３の構成を模式的に説明する図の一例である。ファイル記憶部１９３は、図示するようにスキャンフォルダ２１とプリントフォルダ２２という２つの  ファイル記憶部１９３は、ＲＡＭ１０４やＳＳＤ１０８などにより実現され、画像データをファイルとして記憶すると共に、記憶されている情報の読み出しを行う。ファイル記憶部１９３は例えばＯＳが提供するファイルシステムが利用されてよく、一例としてフォルダやディレクトリなどでよい。
【００９０】
本実施形態のアプリは少なくともスキャンフォルダ２１とプリントフォルダ２２を有している。複合機３０が原稿９をスキャンして生成した画像データを端末通信部１４が受信すると、端末通信部１４は自動的にスキャンフォルダ２１に格納する。したがって、スキャンフォルダ２１にはスキャンされた画像データがファイルとして格納される。なお、ファイルは携帯端末１０が扱う情報の単位であり、画像データが含まれるものとする。
【００９１】
プリントフォルダ２２は、携帯端末１０が複合機３０に印刷させるファイルが格納されるフォルダである。プリントフォルダ２２には、ユーザＵの操作によりスキャンフォルダ２１のファイルがコピーされる。また、携帯端末１０で動作するアプリが扱う以外のファイルをユーザＵがＯＳの機能を使ってプリントフォルダ２２に移動又はコピーすることができる。したがって、スキャンフォルダ２１には任意のファイルが格納される。プリントの際は、ユーザＵがプリントフォルダ２２で選択した全てのファイルが写真印刷装置５０に送信される。
【００９２】
【表３】
2018026054.tif 000005
表３は、プリントフォルダ２２のファイルのファイル情報を模式的に説明するファイル情報テーブルである。表３では、ファイル情報がファイル名、選択状態、タイムスタンプ及びコピーフラグを有する。なお、ファイル情報には、この他、作成者、ファイルの種類等もあり得るが省略されている。このように、選択状態が管理されるので、写真プリントと普通紙プリントが切り替えられても、携帯端末１０は選択状態を保持できる。
【００９３】
ＵＩ表示部１２は後述するプリント画面７５１の表示の際やボタン操作などに応じてファイル情報テーブルを参照して選択状態を取得して、チェックマーク５０１の表示と非表示を切り替える。プリント画面７５１の表示中はファイル情報テーブルを定期的に参照し、ファイル情報に変更があるとチェックマーク５０１の表示と非表示を切り替える。
【００９４】
また、コピーフラグは、スキャンフォルダ２１からプリントフォルダ２２に自動コピーされた場合に、ファイル処理部１６がＯＮに設定するフラグである。これにより、ファイル表示部１５は自動コピーされたファイルを特定できる。また、ファイル処理部１６は、自動コピーしたファイルの選択状態をＯＮに設定する。したがって、自動コピーされたファイルが後述するプリント画面７５１で表示されるとチェックマーク５０１が表示される。これにより、ユーザが自動コピーされたファイルを選択する必要がない。また、ファイル処理部１６は、プリント画面７５１が表示されると選択状態をＯＦＦにする。
【００９５】
＜画像処理システム１００の動作手順＞
図９は、画像処理システム１００のスキャン時の動作手順を説明するシーケンス図の一例である。なお、適宜、図１０〜図１４の画面例を説明する。ユーザＵは自分が持っている原稿９をスキャンして画像データを生成するため、写真印刷装置５０のディスプレイ４６を操作する。
【００９６】
S1：写真印刷装置５０のディスプレイ４６にはサービス選択画面６０１が表示されている。ユーザＵはサービスの中から「スキャン」ボタン６０６を選択する。写真印刷装置５０の操作受付部５２は「スキャン」ボタン６０６の押下を受け付ける。図１０（ａ）にサービス選択画面６０１の一例を示す。
【００９７】
S2：また、ユーザＵはスキャンしたい原稿９を複合機３０のＡＤＦ（Auto Document Feeder）又はコンタクトガラス上にセットする。
【００９８】
S3：次に、ユーザＵは写真印刷装置５０に読取条件を設定する。読取条件は、例えばカラー・白黒の選択、原稿サイズ、原稿９の向き、ファイル形式（ＰＤＦ、ＪＰＥＧ、ＯＣＲ付きＰＤＦなど）、解像度、濃度、などである。写真印刷装置５０の操作受付部５２は読取条件を受け付ける。図１０（ｂ）に読取条件設定画面６１１の一例を示す。
【００９９】
S4：最後の読取条件をユーザＵが設定すると、写真印刷装置５０の画面表示部５６は読み取りスタート画面６２１をディスプレイ４６に表示する。ユーザＵは読取条件を確認して読み取りスタートボタン６２２を押下する。写真印刷装置５０の操作受付部５２は読み取りスタートボタン６２２の押下を受け付ける。図１１（ａ）に読み取りスタート画面６２１の一例を示す。
【０１００】
S5：写真印刷装置５０の全体制御部５４は読み取りスタートボタン６２２の押下に対し、複合機通信部５７により読取条件と共にスキャンジョブを複合機３０に送信する。複合機３０の装置通信部３３はスキャンジョブを受信する。
【０１０１】
S6：複合機３０の全体制御部３２はスキャンジョブを受信したので原稿読取部３４により原稿９を読み取る。原稿読取部３４は画像データを生成する。
【０１０２】
S7：複合機３０の装置通信部３３は画像データを写真印刷装置５０に送信する。写真印刷装置５０の複合機通信部５７は画像データを受信する。
【０１０３】
S8：写真印刷装置５０の全体制御部５４はスキャンジョブに対し画像データを受信したので、画面表示部５６にプレビューを表示させる。画面表示部５６はディスプレイに画像データを表示する。図１１（ｂ）にプレビュー画面６３１の一例を示す。
【０１０４】
S9：ユーザＵはディスプレイ４６に表示されたプレビュー６３３を目視して、意図した画像データが得られたかどうかを判断する。意図した画像データが得られた場合、読取終了ボタン６３２を押下する。これにより、全体制御部５４は画像データを送信するための処理を開始する。なお、意図した画像データが得られない場合、ユーザＵはやり直しボタン６３４を押下する。この場合、ユーザＵはステップＳ３から再度行う。
【０１０５】
S10：ユーザＵはスキャンにより生成された画像データを携帯端末１０で受信するため、携帯端末１０が実行するアプリを起動させる。これ以前に起動していてもよい。ユーザＵは、図１４（ａ）のアプリ起動画面７０１でWi-Fiプリントボタン７０２を選択する。携帯端末１０の操作受付部１３はこの操作を受け付け、ＵＩ表示部１２はWi-Fiプリント画面７１１を表示する。図１４（ｂ）にWi-Fiプリント画面７１１を示す。更に、ユーザＵはスキャナで取り込むボタン７１５を押下する。携帯端末１０の操作受付部１３はこの操作を受け付け、ＵＩ表示部１２はスキャン取り込み画面７２１を表示する。図１４（ｃ）にスキャン取り込み画面７２１を示す。
【０１０６】
S11：ユーザＵはスキャン取り込み画面７２１で接続ボタン７２２を押下する。携帯端末１０の操作受付部１３はこの操作を受け付け、端末通信部１４は写真印刷装置５０との通信接続を開始する。どのように通信接続を行うかはAndroid（登録商標） ＯＳとｉＯＳ（登録商標）で異なっている。Android（登録商標） ＯＳの場合、記憶部１９に記憶されている通信情報１９１をアプリがＯＳに設定して通信接続することができる。ｉＯＳ（登録商標）の場合、ユーザＵが通信情報を設定する操作を行うことで通信接続される。これらにより、通信情報１９１に含まれるアクセスポイントのＳＳＩＤとパスワードが設定され携帯端末１０はアクセスポイントに接続でき、通信情報に含まれる写真印刷装置５０のＩＰアドレスを宛先にすることで写真印刷装置５０と通信できる。
【０１０７】
S12：通信接続が完了すると、写真印刷装置５０の全体制御部５４はＰＩＮコードを発行する。ＰＩＮ（Personal Identification Number）コードはユーザＵを認証するための情報である。携帯端末１０と写真印刷装置５０は無線で通信しているため、原稿９を用意したユーザＵ以外の第三者の携帯端末と通信する可能性も否定できない。このため、ＰＩＮコードを携帯端末１０に表示させ、ユーザＵがそのＰＩＮコードを写真印刷装置５０に入力した場合、写真印刷装置５０は原稿９を用意したユーザＵの携帯端末１０と通信していると判定する。このため、写真印刷装置５０の携帯通信部５３は発行されたＰＩＮコードを携帯端末１０に送信する。
【０１０８】
S13：携帯端末１０の端末通信部１４はＰＩＮコードを受信すると、ＵＩ表示部１２がＰＩＮコードを表示装置１０２に表示する。図１４（ｄ）にＰＩＮコード画面７３１を示す。したがって、ユーザＵはＰＩＮコードを読み取ることができる。
【０１０９】
S14：ユーザＵは携帯端末１０の表示装置１０２に表示されたＰＩＮコードを写真印刷装置５０に入力する。写真印刷装置５０の操作受付部５２はＰＩＮコードを受け付ける。図１２（ａ）にＰＩＮコード入力画面６４１の一例を示す。
【０１１０】
S15：そして、全体制御部５４は発行したＰＩＮコードと入力されたＰＩＮコードが一致するか否かを判定する。本実施形態では一致したものとして説明する。一致した場合、写真印刷装置５０の画面表示部５６は料金画面６５１を表示する。図１２（ｂ）に料金画面６５１の一例を示す。
【０１１１】
S16：全体制御部５４はＰＩＮコードが一致したのでユーザＵを認証できたものと判定する。料金画面６５１でユーザが保存スタートボタン６５４を押下すると、操作受付部５２がこれを受け付け、携帯通信部５３は画像データを携帯端末１０に送信する。なお、ユーザＵが指定したファイル形式に変換し、更に日時などのファイル名を付与する。携帯端末１０の端末通信部１４は画像データを受信する。
【０１１２】
S17：携帯端末１０の端末通信部１４はファイル記憶部１９３のスキャンフォルダ２１に画像データを記憶する。ファイル記憶部１９３のスキャンフォルダ２１に新たな画像データが記憶されると、ＵＩ表示部１２がスキャンフォルダ画面７４１を表示する。図１４（ｅ）にスキャンフォルダ画面７４１を示す。
【０１１３】
S18：端末通信部１４はスキャンフォルダ２１に画像データを記憶したこと及びファイル名をファイル処理部１６に通知するので、ファイル処理部１６はこのファイルをスキャンフォルダ２１から取得して、プリントフォルダ２２にコピーする。なお、ファイル処理部１６は、プリントフォルダ２２にコピーしたファイルの選択状態をＯＮに設定し、また、コピーフラグをＯＮに設定する。なお、端末通信部１４から通知を受けるのでなく、ファイル処理部１６がスキャンフォルダ２１を監視しておき、新しいファイルが記憶されたことを検出してもよい。プリントフォルダ２２に新たなファイルをコピーすると、ＵＩ表示部１２はスキャンフォルダ画面７４１にその旨のメッセージ７４３を表示する。図１４（ｆ）はメッセージが表示されたスキャンフォルダ画面７４１を示す。ユーザはこのメッセージ７４３を見ることで、スキャンにより作成されたファイルがプリントフォルダ２２にコピーされたことを把握できる。
【０１１４】
S19:画像データを受信すると携帯端末１０の端末通信部１４は受信完了を写真印刷装置５０に送信する。これにより、写真印刷装置５０の画面表示部５６は終了画面６６１を表示する。図１３に終了画面６６１の一例を示す。
【０１１５】
S20：これにより、写真印刷装置５０の携帯通信部５３は通信接続を切断する。例えばWi-Fiの通信接続を切断する。
【０１１６】
＜スキャン時の画面例＞
図１０〜図１４の画面例について説明する。図１０（ａ）のサービス選択画面６０１は、「白黒簡単コピー」ボタン６０２、「いろいろなコピー」ボタン６０３、「プリント」ボタン６０４、「ファクス」ボタン６０５、「スキャン」ボタン６０６、「行政サービス」ボタン６０７などの選択可能に表示する。本実施形態では「スキャン」ボタン６０６が選択される。「白黒簡単コピー」ボタン６０２は普通紙に白黒でコピーするためのボタンである。「いろいろなコピー」ボタン６０３は普通紙に白黒又はカラーでコピーするためのボタンである。「プリント」ボタン６０４は記憶媒体からファイルを印刷したり、携帯端末１０のファイルを印刷したりするためのボタンである。「ファクス」ボタン６０５はファクス送信するためのボタンであり、「スキャン」ボタン６０６は原稿をスキャンして画像データを取得するためのボタンである。「行政サービス」ボタン６０７は住民票の写しや印鑑証明などを印刷するためのボタンである。
【０１１７】
図１０（ｂ）の読取条件設定画面６１１は読取条件の１つである原稿サイズの選択を受け付けるための画面である。読取条件設定画面６１１には自動、Ｌ板、Ｂ５、Ａ４、Ｂ４、Ａ３の各原稿サイズの選択ボタン、及び、原稿セット例６１３が表示されている。ユーザＵは原稿９のサイズを選択したり、原稿のセット方向を確認できる。この他の読取条件の設定画面については省略されている。
【０１１８】
図１１（ａ）の読み取りスタート画面６２１は、各種の読取条件６２３、読み取りスタートボタン６２２及び原稿向き表示欄６２４を有している。ユーザＵは読取条件６２３を確認し、読み取りスタートボタン６２２を押下する。また、原稿向き表示欄６２４を見て原稿の向きを確認できる。
【０１１９】
図１１（ｂ）のプレビュー画面６３１は、読み取られた画像データのプレビュー６３３、やり直しボタン６３４、次の原稿９を読み取るボタン６３５、及び、読取終了ボタン６３２を有している。プレビュー６３３は複合機３０が読み取った原稿の画像データを表示する。やり直しボタン６３４が押下されると、画像データは破棄され読取条件設定画面６１１が表示される（料金はかからない）。次の原稿９を読み取るボタン６３５が押下されると、読み取りスタート画面６２１が表示される。読取終了ボタン６３２はＰＩＮコード入力画面６４１を表示させるためのボタンである。
【０１２０】
図１２（ａ）のＰＩＮコード入力画面６４１は、ＰＩＮコード入力欄６４３、テンキー６４２及びメッセージ６４４を表示する。まず、メッセージ６４４には「スマートフォンに表示されているＰＩＮコードを入力してください」と表示されている。ユーザＵはテンキー６４２で携帯端末１０に表示されたＰＩＮコードを、ＰＩＮコード入力欄６４３に入力する。
【０１２１】
図１２（ｂ）の料金画面６５１はプレビュー６５２と、料金欄６５３と、中止ボタン６５５と、保存スタートボタン６５４が表示されている。料金欄６５３は、スキャンした合計枚数、合計金額、投入金額、及び不足金額を表示する。不足金額がない場合、保存スタートボタン６５４が有効になり、ユーザＵは保存スタートボタン６５４を押下できる。これにより、画像データが携帯端末１０に送信され、課金装置３１５により合計金額が収納される。不足金額がある場合、ユーザＵは保存スタートボタン６５４を押下できない。この場合、ユーザＵは不足金額を投入するか中止ボタン６５５を押下する。これにより、画像データが破棄される。
【０１２２】
図１３の終了画面６６１は、スキャン結果情報６６２、続けるボタン６６３、領収書を印刷して終了ボタン６６４、及び、終了ボタン６６５を有する。スキャン結果情報６６２により、ファイル名、ファイル数、合計枚数、合計サイズ、及び、合計金額をユーザＵが確認できる。続けるボタン６６３が押下されると例えば読取条件設定画面６１１に戻る。領収書を印刷して終了ボタン６６４が押下されると領収書（レシート）が印刷されサービス選択画面６０１に戻る。終了ボタンが押下されると領収書（レシート）が印刷されずにサービス選択画面６０１に戻る。
【０１２３】
図１４（ａ）のアプリ起動画面７０１は、Wi-Fiプリントボタン７０２及びクラウドプリントボタン７０３を有する。Wi-Fiプリントボタン７０２は、携帯端末１０と写真印刷装置５０とを無線ＬＡＮで通信させ、携帯端末１０が画像データを写真印刷装置５０に送信しプリントさせるためのボタンである。また、Wi-Fiプリントボタン７０２により複合機３０でスキャンした原稿９の画像データを取得できる。クラウドプリントボタン７０３は携帯端末１０がクラウド上のファイルを指定すると複合機３０がダウンロードしてプリントするためのボタンである。
【０１２４】
図１４（ｂ）のWi-Fiプリント画面７１１は、写真や文書をプリントボタン７１２、Ｗｅｂページをプリントボタン７１３、テキストをプリントボタン７１４、スキャナで取り込むボタン７１５、及びスキャンフォルダボタン７１６を有する。写真や文書をプリントボタン７１２は、携帯端末１０の画像データを写真や普通紙でプリントするためのボタンである。Ｗｅｂページをプリントボタン７１３は、Ｗｅｂページをプリントするためのボタンである。テキストをプリントボタン７１４は携帯端末１０が保持するテキストデータをプリントするためのボタンである。スキャナで取り込むボタン７１５はスキャナ２０６が読み取った画像データを携帯端末１０が取得するためのボタンである。スキャンフォルダボタン７１６はアプリのスキャンフォルダ２１を表示するためのボタンである。
【０１２５】
図１４（ｃ）のスキャン取り込み画面７２１は、保存可能容量欄７２３、及び接続ボタン７２２を有する。保存可能容量欄７２３は携帯端末１０の空き容量でありスキャンされた画像データを保存できるかどうかをユーザＵが判断するための目安となる。接続ボタン７２２は、携帯端末１０と写真印刷装置５０を無線ＬＡＮで通信接続させるためのボタンである。
【０１２６】
図１４（ｄ）のＰＩＮコード画面７３１は、ＰＩＮコード欄７３２を有する。ＰＩＮコード欄７３２には写真印刷装置５０が発行したＰＩＮコードが表示される。ユーザＵはこのＰＩＮコードを写真印刷装置５０に入力する。
【０１２７】
図１４（ｅ）のスキャンフォルダ画面７４１は、スキャンフォルダ内の全てのファイルを表示する。スキャンフォルダ２１には複合機３０がスキャンしたフォルダが自動的に格納される。
【０１２８】
図１４（ｆ）のスキャンフォルダ画面７４１は、図１４（ｆ）の状態に対しメッセージ７４３が表示されている。ＵＩ表示部１２はメッセージ７４３を所定時間、表示した後、所定時間かけて徐々に薄くして消去する。
【０１２９】
＜プリント時の動作＞
図１５は、画像処理システム１００のプリント時の動作手順を説明するシーケンス図の一例である。なお、適宜、図１６〜図１９の画面例を説明する。ユーザＵはスキャンした原稿９の画像データを印刷するため、写真印刷装置５０のディスプレイ４６を操作する。このように、ユーザＵは移動中、重い原稿９を持って移動する必要がなくなる。
【０１３０】
S1：写真印刷装置５０のディスプレイ４６にはサービス選択画面６０１が表示されている。サービス選択画面６０１は図１０（ａ）に示した。プリントを行う場合、ユーザＵはサービスの中から「プリント」ボタン６０４を選択する。写真印刷装置５０の操作受付部５２は「プリント」ボタン６０４の選択を受け付ける。
【０１３１】
S2：また、ユーザＵは携帯端末１０が実行するアプリを操作してファイルを選択する。まず、ユーザＵは、図１９（ａ）のアプリ起動画面７０１でWi-Fiプリントボタン７０２を選択し、図１９（ｂ）のWi-Fiプリント画面７１１で写真や文書をプリントボタン７１２を押下する。携帯端末１０の操作受付部１３はユーザＵの操作を受け付け、ＵＩ表示部１２は図１９（ｄ）のプリント画面７５１を表示する。
【０１３２】
ここで、従来の手順と比較して説明する。従来は、図１９（ｂ）のWi-Fiプリント画面７１１でユーザＵはスキャンフォルダボタン７１６を押下する。そして、スキャンして作成されたファイルを選択してプリントフォルダ２２に移動させるための操作を行う。
例えば、転送ボタン７４２を押下する。携帯端末１０の操作受付部１３はユーザＵの操作を受け付け、ファイル処理部１６がファイルをプリントフォルダ２２にコピーしていた。本実施形態では、ユーザＵのこの操作が不要なので手間を低減できる。
【０１３３】
S3：次に、ユーザＵはプリント画面７５１で普通紙プリントボタン７５２又は写真プリントボタン７５３を選択すると共に、ファイルリスト欄７５４から印刷するファイルを選択する。
【０１３４】
S4：携帯端末１０の操作受付部１３はユーザＵの操作を受け付け、ＵＩ表示部１２はユーザが選択したファイルを選択状態にして表示する。選択状態のファイルにはチェックマーク５０１が表示される。なお、この選択の詳細は後述される。
【０１３５】
S5：ユーザＵが次へボタン７５５を押下すると、携帯端末１０の操作受付部１３はユーザＵの操作を受け付け、端末通信部１４が写真印刷装置５０と通信接続する。上記のように携帯端末１０が写真印刷装置５０から通信情報を読み取ることで携帯端末１０の記憶部１９には通信情報１９１が記憶されている。通信情報１９１によりスキャン時と同様に通信接続できる。
【０１３６】
S6：通信接続できると、ＵＩ表示部１２は図１９（ｅ）の送信画面７６１を表示する。ユーザＵが送信ボタン７６２を押下すると、携帯端末１０の操作受付部１３はユーザＵの操作を受け付け、端末通信部１４が画像データ（ユーザＵが選択したファイル）を写真印刷装置５０に送信する。
【０１３７】
S7：画像データの送信が終了すると、携帯端末１０の端末通信部１４は複合機３０との通信を切断する。また、端末通信部１４が通信完了の旨を受信すると、ＵＩ表示部１２は図１９（ｆ）の送信完了画面７７１を表示する。ユーザＵがＯＫボタン７７２を押下すると、操作受付部１３が操作を受け付け、ＵＩ表示部１２は図１９（ａ）のアプリ起動画面７０１を表示する。
【０１３８】
S8：写真印刷装置５０の端末通信部１４はファイルを受信すると、画面表示部５６がディスプレイ４６に印刷設定に関する画面を表示する。例えば、図１６（ａ）の写真印刷設定画面８０１、図１６（ｂ）の画像選択画面８１１等を表示する。
【０１３９】
S9：ユーザＵは図１６（ａ）の写真印刷設定画面８０１でフチありかフチなしを選択し、図１６（ｂ）の画像選択画面８１１で印刷する画像データを選択したり、印刷枚数を選択したりする。また、カラー・白黒、用紙サイズなど各種の印刷設定を行う。写真印刷装置５０の操作受付部５２はユーザＵの操作を受けつける。
【０１４０】
S10：ユーザＵが次へボタン８１２を押下すると、操作受付部５２が操作を受け付け、画面表示部５６が図１７（ａ）のプリントスタート画面８２１をディスプレイ４６に表示する。ユーザＵがプリントスタートボタン８２２を押下すると、操作受付部５２がプリントスタートを受け付ける。
【０１４１】
次のステップS12とS13はどちらかが実行される。
S11：写真プリントの場合、写真印刷装置５０の写真印刷部５５は印刷設定に基づき画像データを写真プリントする。画面表示部５６は図１７（ｂ）の印刷中画面８３１をディスプレイ４６に表示する。
【０１４２】
S12：普通紙プリントの場合、写真印刷装置５０の複合機通信部５７は印刷設定と画像データを含む印刷ジョブを複合機３０に送信する。
【０１４３】
S13：これにより、複合機３０の普通紙印刷部３１は印刷設定に基づき画像データを普通紙に印刷する。
【０１４４】
S14：写真印刷装置５０の全体制御部５４は写真プリントが終了すると（又は複合機３０から印刷終了を受信すると）、画面表示部５６に終了画面８４１を表示させる。図１８に終了画面８４１の一例を示す。
【０１４５】
<<プリント時の画面例>>
図１６〜図１９の画面例について説明する。図１６（ａ）の写真印刷設定画面８０１は印刷設定の１つであるフチなしとフチありのいずれかをユーザＵが選択するための画面である。写真印刷設定画面８０１は、プレビュー欄８０２、フチなしボタン８０３及びフチありボタン８０４を有し、ユーザＵが選択できるようになっている。
【０１４６】
図１６（ｂ）の画像選択画面８１１は、ユーザＵが印刷するファイルと枚数を選択するための画面である。画像選択画面８１１では携帯端末１０から送信された画像データがリスト状に表示されている。ユーザＵは任意の画像データを選択状態にして（例えばタップする）プラスボタン８１３、マイナスボタン８１４を押下すことで枚数を入力する。また、ユーザＵが決定して次へボタン８１２を押下すると、プリントスタート画面８２１が表示される。
【０１４７】
図１７（ａ）は、プリントスタート画面８２１の一例である。プリントスタート画面８２１はユーザＵがプリントを開始するためのボタンである。プリントスタート画面８２１はプレビュー欄８２３、料金欄８２４、及び、プリントスタートボタン８２２を有する。プレビュー欄８２３は画像データのプレビューが表示される欄であり、料金欄８２４は合計枚数、合計金額、及び投入金額を表示する。合計金額＞投入金額の場合、ユーザＵはプリントスタートボタン８２２を押下できない。あるいは、プリントスタート後、合計金額＞投入金額になった時点で印刷が終了する。この場合、ユーザＵは硬貨投入口から不足金額を入金する。
【０１４８】
図１７（ｂ）は印刷中画面８３１の一例である。印刷中画面８３１は印刷中の状態を報知するための画面である。印刷中画面８３１は、プリント中画像欄８３２、プリントの進捗欄８３３、料金欄８３４、及び、中止ボタン８３５を有する。プリント中画像欄８３２にはプリント中の画像データのプレビューなどが表示され、プリントの進捗欄８３３にはプリントの進捗状況が表示される。料金欄８３４は図１７（ａ）と同様である。中止ボタン８３５は、プリントを途中で中止するためのボタンである。
【０１４９】
図１８は、終了画面８４１の一例である、終了画面８４１はプリントの終了をユーザＵに報知するための画面である。終了画面８４１は、プリント結果情報８４２、続けるボタン８４３、領収書を印刷して終了ボタン８４４、及び、終了ボタン８４５を有する。プリント結果情報８４２により、合計枚数、及び、合計金額をユーザＵが確認できる。続けるボタン８４３が押下されると例えば写真印刷設定画面８０１に戻る。領収書を印刷して終了ボタン８４４が押下されると領収書（レシート）が印刷されサービス選択画面６０１に戻る。終了ボタン８４５が押下されると領収書（レシート）が印刷されずにサービス選択画面６０１に戻る。
【０１５０】
図１９（ａ）は図１４（ａ）と同じであり、図１９（ｂ）は図１４（ｂ）と同じである。図１９（ｃ）のスキャンフォルダ画面７４１は、スキャンフォルダ２１のファイルの一覧を表示する。図１４（ｅ）のスキャンフォルダ画面７４１と同じ画面である。図１９（ｃ）では３つのファイルが選択状態になっている。ファイルが選択状態にされ、ユーザが転送ボタン７４２を押下すると、選択されたファイルはプリントフォルダ２２にコピーされる。
【０１５１】
図１９（ｄ）のプリント画面７５１はユーザＵがプリントするファイルを選択するための画面である。プリント画面７５１は、普通紙プリントボタン７５２、写真プリントボタン７５３、ファイルリスト欄７５４、及び、次へボタン７５５を有する。普通紙プリントボタン７５２が押下されると普通紙プリントが可能なファイル形式のファイルがグレーアウトされずに表示され、普通紙プリントが可能でないファイル形式のファイルがグレーアウトされて表示される。写真プリントボタン７５３が押下されると写真プリントが可能なファイル形式のファイルがグレーアウトされずに表示され、写真プリントが可能でないファイル形式のファイルがグレーアウトされて表示される。ファイルリスト欄７５４にはファイル名、チェックマーク５０１、タイムスタンプなどのファイル情報が表示される。次へボタン７５５が押下されると図１９（ｅ）の送信画面７６１が表示される。
【０１５２】
図１９（ｅ）は送信画面７６１の一例である。送信画面７６１は画像データの送信の最終的な確認をユーザＵから受け付けるためのボタンである。送信画面７６１は送信ボタン７６２を有する。送信ボタン７６２は、ユーザＵが選択したファイルを写真印刷装置５０に送信するためのボタンである。
【０１５３】
図１９（ｆ）は送信完了画面７７１の一例である。送信完了画面７７１は画像データの送信が完了したことをユーザＵに報知するための画面である。送信完了画面７７１には、「写真印刷装置５０の画面でプリント操作を行ってください。」というメッセージ７７３、及び、ＯＫボタン７７２が表示される。メッセージ７７３によりユーザＵは写真印刷装置５０を操作すべきことを把握できる。また、ユーザＵがＯＫボタン７７２を押下すると図１９（ａ）のアプリ起動画面７０１に戻る。
【０１５４】
＜プリントフォルダにおけるファイルの選択＞
本実施形態では、スキャンフォルダ２１からプリントフォルダ２２に自動的にファイルがコピーされる。しかしながら、ユーザが操作することでスキャンフォルダ２１の任意のファイルをプリントフォルダ２２にコピーすることも可能である。図２０では、ユーザの操作によるファイルのコピーについて説明する。
【０１５５】
図２０を用いて、スキャンフォルダ２１からプリントフォルダ２２へのファイルのコピー等について説明する。図２０はスキャンフォルダ２１に格納されているファイルを模式的に示す。図２０では、1.jpg、2.bmp、3.png、4.tiff、5.pdfの５つのファイルが格納されている。ユーザＵがスキャンフォルダ画面７４１で1.jpg、2.bmp、3.png、4.tiff、5.pdfを選択して転送する操作を行ったものとする。この場合、ファイル処理部１６はスキャンフォルダ２１の1.jpg、2.bmp、3.png、4.tiff、5.pdfをプリントフォルダ２２にコピーする。これにより、ユーザＵがプリント画面７５１でプリントフォルダ２２のファイルを選択できるようになる。6.jpgについては後述する。
【０１５６】
図２１は、プリント画面７５１におけるファイル情報の表示方法を説明する図の一例である。図２１（ａ）は、ユーザが写真プリントボタン７５３を選択することによって出力方法が指定されたプリント画面７５１の一例を示す。プリントフォルダ２２には５つのファイルが含まれているので５つのファイルが表示されている。このうち、ｐｄｆファイルは写真プリントに非対応なので、ファイル表示部１５は5.pdfファイルのファイル情報をグレーアウト表示する。また、操作受付部１３は5.pdfファイルの選択を受け付けることができない。一方、1.jpg、2.bmp、3.png、4.tiffは写真プリントに対応しているため、ファイル表示部１５はこれらを通常の輝度で表示し、操作受付部１３も選択を受け付けることができる。図２１（ａ）では1.jpg、2.bmp及び3.pngの選択が受け付けられている。このためファイル表示部１５は1.jpg、2.bmp、3.pngの先頭にチェックマーク５０１を表示する。
【０１５７】
この選択状態のまま、図２１（ｂ）に示すように、ユーザＵが普通紙プリントボタン７５２を押下して異なる出力方法を指定したものとする。ファイル表示部１５は普通紙プリントに対応しているか否かに関係なく全てのファイルのファイル情報を表示する。したがって、ユーザＵは普通紙プリントボタン７５２と写真プリントボタン７５３のどちらを選択しても常にプリントフォルダ２２の全てのファイルを確認できる。
【０１５８】
しかしながら、ｂｍｐファイルとｐｎｇファイルは普通紙プリントに非対応なので、ファイル表示部１５はチェックマーク５０１を表示したまま2.bmp及び3.pngをグレーアウト表示する。これにより、ユーザＵは2.bmp及び3.pngを普通紙プリントできないことを把握できる。
【０１５９】
また、ファイル表示部１５は普通紙プリントに対応したｐｄｆファイルを通常の輝度で表示するので、ユーザＵは5.pdfを選択できることを把握できる。図２１（ｂ）でユーザＵは5.pdfを選択したものとする。操作受付部１３はこの選択を受け付けて、ファイル表示部１５が5.pdfの先頭にチェックマーク５０１を表示する。
【０１６０】
この選択状態のまま、図２１（ｃ）に示すように、ユーザＵが写真プリントボタン７５３を押下したものとする。図２１（ａ）と同様にファイル表示部１５は5.pdfファイルのファイル情報をグレーアウト表示するが、2.bmpと3.pngを通常の輝度で表示する。また、2.bmpと3.pngは選択状態のままであるため、チェックマーク５０１を表示する。したがって、ユーザＵは一度選択したファイルを選択し直す必要がない。
【０１６１】
なお、図２１ではユーザＵが普通紙プリントボタン７５２又は写真プリントボタン７５３を押下することで、普通紙プリントに対応したファイルと写真プリントに対応したファイルが表示されるが、プリントモードの切り替えボタンの押下により普通紙プリントと写真プリントが切り替えられてもよい。切り替えボタンは、１回の押下で普通紙プリントに対応したファイルを表示させ、次の押下で写真プリントに対応したファイルを表示させるボタンである。また、携帯端末１０がタッチパネルを有する場合、ユーザＵが画面上の所定の領域をスワイプ等することで普通紙プリントと写真プリントを切り替えてもよい。
【０１６２】
＜自動コピーされたファイルの表示＞
自動コピーされた場合にプリント画面７５１に表示されるプリントフォルダ２２のファイルについて説明する。スキャンフォルダ２１のファイルは自動的にプリントフォルダ２２にコピーされるため、プリント画面７５１の非表示中に自動コピーされる場合がほとんどであるが、プリント画面７５１を表示中に自動コピーされる場合もあり得る。
【０１６３】
複合機３０が原稿９をスキャンして６番目のファイルである「6.jpg」がスキャンフォルダ２１に格納されたものとする。図２０に示すように、「6.jpg」はプリントフォルダ２２にコピーされる。これにより、ファイル処理部１６は表３のファイル情報テーブルに「6.jpg」のファイル情報を設定するが、この時、選択状態とコピーフラグをＯＮに設定する。
【０１６４】
プリント画面７５１を表示中に自動コピーされた場合、ファイル表示部１５は監視しているプリントフォルダ２２のファイル情報テーブルに新しくファイルが登録されたので、該ファイルのファイル情報をプリント画面７５１に表示する。
【０１６５】
図２２は、プリント画面７５１の表示中に自動コピーされたファイルを示す図の一例である。図２２では、図２１（ｃ）の状態で新たに「6.jpg」のファイル情報が表示されたものとするが、他のファイルの状態はどのような状態でもよい。ファイル表示部１５は自動コピーされたファイルの選択状態を参照して、チェックマーク５０１を表示する。このように、自動コピーされたファイルにはチェックマーク５０１が表示されるので、ユーザはスキャナ機能で生成されたファイルに気づきやすくなる。また、ユーザが選択しなくても写真印刷装置５０に送信して印刷することができる。
【０１６６】
なお、選択状態の他のファイルと区別するため、自動コピーされたファイルのチェックマーク５０１の色を他のファイルと変更したり、チェックマーク５０１とは別のアイコンを表示したりしてもよい。
【０１６７】
プリント画面７５１を表示中でない時に自動コピーされた場合、ファイル表示部１５はプリント画面７５１を表示する際に、ファイル情報テーブルを参照し各ファイルのファイル情報を表示する。したがって、この場合も、自動コピーされたファイルにはチェックマーク５０１が表示されるので、同様の効果を奏することができる。
【０１６８】
<<表示手順>>
図２３は、ファイル表示部１５がプリント画面の表示を行う手順を示すフローチャート図の一例である。図２３の処理はプリント画面７５１の表示中、繰り返し実行される。
【０１６９】
まず、ファイル表示部１５は、プリントフォルダ２２に格納されているファイルのファイル情報を読み出す（Ｓ１０）。すなわち、ファイル名、選択状態、タイムスタンプなど表示される情報を読み出す。
【０１７０】
次に、ファイル表示部１５は、普通紙プリントボタン７５２が押下されたか又は写真プリントボタン７５３が押下されたかを判定する（Ｓ２０）。Wi-Fiプリント画面７１１等からプリント画面７５１に遷移した直後の場合、最後にプリント画面７５１を表示した時の状態を採用する。あるいは、予め普通紙プリントボタン７５２と写真プリントボタン７５３のどちらが優先か定められている場合は優先されている状態を採用する。
【０１７１】
ステップＳ２０の判定がＹｅｓの場合、普通紙プリントボタン７５２が押下されたので、ファイル表示部１５はｂｍｐファイル、ｐｎｇファイルのファイル情報をグレーアウト表示する（Ｓ３０）。その他のファイル形式のファイル情報は通常の輝度で表示する。また、操作受付部１３はｂｍｐファイル、ｐｎｇファイルに対する操作を受け付けない。どのように実現してもよいが、例えばＯＳがタップを無視する、ＯＳがタップを検知してもファイル表示部１５が何もしないなどが考えられる。
【０１７２】
ステップＳ２０の判定がＮｏの場合、写真プリントボタン７５３が押下されたので、ファイル表示部１５はｐｄｆファイルのファイル情報をグレーアウト表示する（Ｓ４０）。その他のファイル形式のファイル情報は通常の輝度で表示する。また、操作受付部１３はｐｄｆファイルに対する操作を受け付けない。
【０１７３】
次に、ファイル表示部１５は選択状態に変更があるか否かを判定する（Ｓ５０）。すなわち、操作受付部１３がユーザＵによるファイルの選択操作、又は、ファイルの選択解除の操作を受け付けた否か判定する。ステップＳ５０の判定がＮｏの場合、処理はステップＳ２０に戻る。
【０１７４】
ステップＳ５０の判定がＹｅｓの場合、ファイル処理部１６はファイル情報の選択状態を更新する（Ｓ６０）。
【０１７５】
そして、ファイル表示部１５はファイル情報を参照して、チェックマーク５０１を更新して表示する（Ｓ７０）。すなわち、ファイルが新たに選択された場合はチェックマーク５０１を表示し、ファイルが未選択になった場合はチェックマーク５０１を消去する。
【０１７６】
この後、処理はステップＳ２０に戻り、ユーザＵの操作に応じてファイル情報の表示処理が繰り返し実行される。別の画面に遷移すると図２３の処理は終了する。
【０１７７】
<<自動コピーの処理>>
図２４は、ファイル処理部１６がスキャンフォルダに格納されたファイルをプリントフォルダにコピーする手順を示すフローチャート図の一例である。
【０１７８】
ファイル処理部１６はスキャンフォルダに新たなファイルが追加されたか否かを判定する（Ｓ１０）。上記のように、ファイル処理部１６は端末通信部１４から通知を受けるか、又は、スキャンフォルダ２１を監視することで、新しいファイルが追加されたことを検出する。
【０１７９】
ステップＳ１０の判定がＮｏの場合、ファイルの処理は不要なので図２４の処理は終了する。
【０１８０】
ステップＳ１０の判定がＹｅｓの場合、ファイル処理部１６は新しいファイルをプリントフォルダ２２にコピーする（Ｓ２０）。なお、コピーでなく移動してもよい。コピーするか移動するかをユーザが設定できることが好ましい。また、スキャンフォルダ２１にファイルが追加されると自動的にプリントフォルダ２２にコピーするのでなく、ユーザの操作を契機にしてコピーしてもよい。ＵＩ表示部１２はコピーの有無を問い合わせるダイアログを表示し、操作受付部１３がコピーをする旨の操作を受け付けるとファイル処理部１６がファイルをコピーする。
【０１８１】
また、ファイル処理部１６はファイル情報テーブルにファイル情報を登録する（Ｓ３０）。すなわち、選択状態とコピーフラグをＯＮに設定する。
【０１８２】
このように、スキャンフォルダ２１のファイルをプリントフォルダ２２にコピーすることができる。なお、全てのファイルをコピーするのでなく、例えばファイル名や拡張子によってコピーするファイルを制限してもよい。例えば、ＢＭＰファイルは普通紙プリントに非対応であり、ファイルサイズも大きいのでファイル処理部１６はファイルをコピーしない。ＰＮＧファイルについても同様に処理できる。
【０１８３】
また、例えば、ファイル名に社外秘などの特定の文字が含まれていたり、印刷を禁止する記号が含まれている場合、ファイル処理部１６はファイルをコピーしないこともできる。これにより、ユーザが誤って印刷することを抑制できる。
【０１８４】
更に、スキャンフォルダ２１のファイルがテキストデータを有する場合がある。写真印刷装置又は複合機（又は外部のサーバ）がＯＣＲ（Optical Character Reader）機能を有する場合、テキストデータはＰＤＦファイルに透明テキストの形で合成される。この場合、ファイル処理部１６は、テキストデータの内容によってコピーするファイルを制限してもよい。例えば、社外秘という文字又は住所や電話番号などの個人情報が含まれている場合、ファイル処理部１６はファイルをコピーしない。これにより、ユーザが秘匿性の高い文書を印刷することを抑制できる。
【０１８５】
図２５（ａ）は、プリント画面非表示中にプリント画面を表示する際にファイル表示部１５が行う処理を説明する図の一例である。
【０１８６】
ファイル表示部１５は、ＵＩ表示部１２がプリント画面を表示するか否かを判定する（Ｓ１０）。プリント画面７５１にはWi-Fiプリント画面７１１又はスキャンフォルダ画面から遷移する場合がある。いずれもユーザの操作が契機となる。
【０１８７】
プリント画面を表示するタイミングでない場合、図２５（ａ）の処理は終了する。
【０１８８】
ＵＩ表示部１２がプリント画面を表示する場合（Ｓ１０のＹｅｓ）、ファイル表示部１５はプリントフォルダに格納されているファイルのファイル情報を読み出す（Ｓ２０）。
【０１８９】
そして、各ファイルのファイル情報をプリント画面７５１に表示する(Ｓ３０)。表示方法は図２３にて説明した。
【０１９０】
図２５（ｂ）は、プリント画面表示中のファイル情報の表示処理を説明する図の一例である。図２５（ｂ）の処理はプリント画面７５１を表示中に実行される。
【０１９１】
ファイル表示部１５は、ファイル情報テーブルに新たなファイルのファイル情報が追加されたか否かを判定する（Ｓ１０）。この判定は、ファイル処理部１６から通知を受けても、ファイル情報テーブルを監視してもよい。
【０１９２】
ステップＳ１０の判定がＮｏの場合、図２５（ｂ）の処理は終了し引き続きプリント画面７５１が表示される。
【０１９３】
ステップＳ１０の判定がＹｅｓの場合、ファイル処理部１６は新たなファイルのファイル情報をファイル情報テーブルから読み出し、ファイル情報をプリント画面７５１に表示する（Ｓ２０）。これにより、チェックマーク５０１を含むファイル情報が表示される。
【０１９４】
＜プリント画面が非表示にされる際の処理＞
自動コピーされたファイルのファイル情報の選択状態はユーザが選択したものではないし、プリントフォルダ２２への移動もユーザの操作によるものではない。このため、プリント画面が非表示にされる場合（別の画面に遷移する際）、選択状態を解除したり自動コピーされたファイルを削除したりした方がよい場合がある。
【０１９５】
図２６は、プリント画面が非表示にされる際にファイル処理部１６が行う処理を示す一例のフローチャート図である。
【０１９６】
ファイル処理部１６はプリント画面が非表示されるか否かを判定する（Ｓ１０）。プリント画面が非表示にされる場合とは、次へボタン７５５が押下されるか又はWi-Fiプリント画面７１１に戻る場合である。しかし、図２６のファイル操作は送信画面７６１から送信完了画面７７１への遷移時に行ってもよい。これにより図２６のステップＳ４０のダイアログ表示による煩わしさを低減できる。
【０１９７】
ステップＳ１０の判定がＹｅｓの場合、ファイル処理部１６はコピーフラグがＯＮのファイルがあるか否かを判定する（Ｓ２０）。
【０１９８】
コピーフラグがＯＮのファイルがある場合（Ｓ２０のＹｅｓ）、スキャンフォルダ２１から自動コピーされたファイルなので、ファイル処理部１６は選択状態を解除する（Ｓ３０）。これにより、次回、プリント画面７５１が表示されても自動コピーされたファイルにチェックマーク５０１が表示されないので、二度、印刷したり、印刷しないファイルがプリント画面７５１の表示のたびに選択状態となることを防止できる。
【０１９９】
次に、ファイル表示部１５は自動コピーされたファイルを削除するか否かをユーザに問い合わせる（Ｓ４０）。例えば、「スキャンフォルダから自動コピーされたファイル（ファイル名）を削除しますか？」などのメッセージをプリント画面７５１に表示し、ユーザのＹｅｓ、Ｎｏの応答を操作受付部１３が受け付ける。
【０２００】
ユーザからファイルを削除する旨の操作を受け付けた場合（Ｓ４０のＹｅｓ）、ファイル処理部１６はプリントフォルダからコピーフラグがＯＮのファイルを削除する（Ｓ５０）。ファイル情報テーブルからも該ファイルのファイル情報を削除する。これにより、ユーザがコピーしたのでないファイルがプリントフォルダに貯まってしまいメモリを圧迫することを抑制できる。なお、携帯端末１０から写真印刷装置５０に送信されたファイルは、ユーザの許可によりプリントフォルダから削除される場合があり、この場合はステップＳ５０の処理は不要となる。
【０２０１】
＜クラウドプリントについて＞
クラウドプリントとは、クラウド上に保存されたファイルを複合機３０が取得して印刷する印刷形態をいう。本実施形態のファイルの表示方法はクラウドプリントでも同様であるが、クラウドプリントの場合は、携帯端末１０から写真印刷装置５０にファイルを送信するWi-Fiプリントよりも多くのファイル形式のファイルをユーザが選択できる。
【０２０２】
まず、図２７を用いて、画像処理システム１００の動作手順を説明する。図２７は、クラウドプリントにおいて、画像処理システム１００の動作手順を説明するシーケンス図の一例である。なお、図２７では図１５との相違を主に説明する。なお、適宜、図２８の画面例を説明する。図２７の文書サーバ６０はクラウド上に存在し、ユーザの文書ファイルを管理する情報処理装置である。
【０２０３】
まず、ステップS1は図１５と同様でよい。
S2：ユーザＵは携帯端末１０が実行するアプリを操作してクラウドプリントを選択する。ユーザＵは、図２８（ａ）のアプリ起動画面７０１でクラウドプリントボタン７０３を選択する。
【０２０４】
S3-1：携帯端末１０の操作受付部１３はユーザＵの操作を受け付け、ＵＩ表示部１２は図２８（ｂ）の認証画面９０１を表示する。ユーザはユーザＩＤとパスワードを入力してログインボタン９０２を押下する。
【０２０５】
S3-2：携帯端末１０の操作受付部１３はユーザＵの操作を受け付け、認証部１７がユーザＩＤとパスワードを送信して文書サーバ６０に認証要求する。
【０２０６】
S3-3：文書サーバ６０はユーザＩＤとパスワードでユーザを認証する。ここではユーザの認証が成立したものとする。認証が成立すると文書サーバ６０はユーザＩＤに対応付けられているファイルの一覧であるファイルリストを携帯端末１０に送信する。これにより、ＵＩ表示部１２は、図２８（ｃ）のクラウドプリント画面９１１を表示する。
【０２０７】
S4：次に、ユーザＵはクラウドプリント画面９１１で、写真や文書をプリントボタン９１２を押下する。携帯端末１０の操作受付部１３はユーザＵの操作を受け付け、ＵＩ表示部１２は図２８（ｄ）のプリント画面９２１を表示する。ユーザＵは普通紙プリントボタン９２２又は写真プリントボタン９２３を選択すると共に、ファイルリスト欄９２４から印刷するファイルを選択する。
【０２０８】
ステップS5、S6は図１５と同様である。
【０２０９】
S7：通信接続できると、図１９（ｅ）の送信画面７６１が表示され、ユーザＵが送信ボタン７６２を押下する。携帯端末１０の操作受付部１３はユーザＵの操作を受け付け、端末通信部１４が画像データでなくユーザＵが選択したファイルのファイルＩＤを写真印刷装置５０に送信する。ファイルＩＤはファイルを特定する情報、ファイルを識別する情報ある。また、ユーザＵのユーザＩＤとパスワードを送信することが好ましい。複合機３０が文書サーバ６０の認証を受けるためである。
【０２１０】
S8-1：画像データの送信が終了すると、携帯端末１０の端末通信部１４は複合機３０との通信を切断する。
【０２１１】
S8-2：ファイルＩＤを取得すると、写真印刷装置５０の通信部５８はファイルＩＤと共にファイル要求を文書サーバ６０に送信する。
【０２１２】
S8-3：文書サーバ６０がこのファイルＩＤのファイルを送信するので、写真印刷装置５０の通信部５８はファイルを受信する。これにより、図１５と同様に写真印刷装置５０が画像データを取得できたことになる。以降のステップＳ９〜Ｓ１４の処理は図１５と同様でよい。
【０２１３】
なお、図２３のシーケンス図では携帯端末１０から写真印刷装置５０へファイルＩＤを送信することによって写真印刷装置５０がユーザによって選択されたファイルを特定し、特定したファイルを文書サーバ６０へ要求しているが、別の方法で写真印刷装置５０が文書サーバ６０にファイルを要求してもよい。例えば、ユーザによって文書サーバ６０にファイルが登録された際に文書サーバ６０によって固有の認証情報を発行し、発行された認証情報を登録されたファイルに関連付けて文書サーバ６０に保存する。なお、認証情報には例えばＰＩＮコードやパスワード等が含まれる。発行された認証情報は、ユーザの携帯端末１０の表示画面に表示又はユーザのメールアドレス等の所定の通知先に通知することでユーザは予め認証情報を取得しておくことができる。ユーザはディスプレイ４６のタッチパネルを介して認証情報を入力することによって、写真印刷装置５０は入力された認証情報を文書サーバ６０へ送信し、文書サーバ６０は受信した認証情報と一致する認証情報がファイルに関連付けられて保存されているか否かを判定し、一致する認証情報があれば関連付けられているファイルを写真印刷装置５０へ送信する。以降のステップは図２３のシーケンス図のＳ９〜Ｓ１４と同様である。また、認証情報に関連付けられるファイルは複数であってもよい。なお、ディスプレイ４６のタッチパネルを介して認証情報を入力する代わりに、携帯端末１０から写真印刷装置５０と確立された通信セッションを介して認証情報を送信してもよい。
【０２１４】
クラウドプリントの利点は、文書サーバ６０が多様なファイル形式に対応できる点である。例えば、使用頻度が高いが携帯端末１０では動作しないアプリケーションソフト（例えば、Word（登録商標）、Exel（登録商標）等）を動作させることができるので、これらのアプリケーションソフトのファイル形式のファイルを開いてプリンタドライバに送出できる。
【０２１５】
したがって、プリント画面９２１において、普通紙プリントボタン９２２又は写真プリントボタン９２３が押下された際に、選択可能となるファイル形式もWi-Fiプリントとは異なっている。しかしながら、プリント画面９２１におけるファイル情報の表示方法は、Wi-Fiプリントのプリント画面７５１と同様でよい。
【０２１６】
<<クラウドプリント時の画面例>>
図２８の画面例について説明する。図２８（ａ）は図１４（ａ）と同じである。
図２８（ｂ）の認証画面９０１は、ユーザが認証操作を行うための画面である。認証画面９０１は、ユーザＩＤ入力欄９０３、パスワード入力欄９０４及びログインボタン９０２を有する。ユーザＩＤ入力欄９０３はユーザＩＤを入力するための欄であり、パスワード入力欄９０４はパスワードを入力するための欄である。ログインボタン９０２は認証要求を送信するためのボタンである。
【０２１７】
図２８（ｃ）のクラウドプリント画面９１１は、図１９（ｂ）のWi-Fiプリント画面７１１と同様であるが、スキャナで取り込むボタン７１５がなく、クラウドプリント一覧ボタン９１５を有する。クラウドプリント一覧ボタン９１５は、文書サーバ６０のファイルを取得してファイルの内容を表示させるためのボタンである。
【０２１８】
図２８（ｄ）のプリント画面９２１は、ユーザＵがプリントするファイルを選択するための画面である。プリント画面９２１の構成はプリント画面７５１と同様である。
【０２１９】
＜まとめ＞
以上説明したように、本実施形態の画像処理システムは、スキャンフォルダ２１からプリントフォルダ２２へファイルが自動でコピーされるので、ユーザがファイルをコピーする操作を行う必要がない。ユーザはスキャンフォルダ２１を開かなくてもプリントフォルダ２２からファイルを選択して印刷することができるのでユーザの手間を低減できる。また、自動コピーされたファイルは選択状態になるのでユーザは印刷する際に特定しやすくなる。
【０２２０】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０２２１】
例えば、本実施形態では、普通紙プリントと写真プリントのように印刷方法によってファイル情報の表示態様を切り替えたが、プリントとファクスのように出力先によってファイル情報の表示態様を切り替えてもよい。例えば、プリントではＰＤＦファイルの出力が禁止されていないが、ファクスの送信が禁止されている場合などに適用できる。この他、白黒のプリントとカラーのプリントでも同様に表示態様を切り替えることができる。
【０２２２】
また、ファイル形式でなくファイル名に特定の用語や文字列が含まれているかどうかによって、ファイル情報の表示態様を切り替えてもよい。また、ファイルの作成者によってファイル情報の表示態様を切り替えてもよい。
【０２２３】
また、本実施形態では、普通紙プリントと写真プリントの２つ印刷方法が切り替えられたが、更に熱転写プリントやインクジェットプリントなどの印刷方法をユーザが選択できてもよい。この場合も、印刷方法とファイル形式などによってファイル情報の表示態様を制御できる。
【０２２４】
また、図７などの構成例は、携帯端末１０、写真印刷装置５０、及び複合機３０の処理の理解を容易にするために、主な機能に応じて分割したものである。処理単位の分割の仕方や名称によって本願発明が制限されることはない。また、携帯端末１０、写真印刷装置５０、及び複合機３０の処理は、処理内容に応じて更に多くの処理単位に分割することもできる。また、１つの処理単位が更に多くの処理を含むように分割することもできる。
【０２２５】
なお、端末通信部１４は格納手段の一例であり、ファイル処理部１６はファイル処理手段の一例であり、ファイル表示部１５はファイル情報表示手段の一例である。スキャンフォルダ２１は第一のフォルダの一例であり、プリントフォルダ２２は第二のフォルダの一例であり、操作受付部１３は受付手段の一例である。
【符号の説明】
【０２２６】
１０    携帯端末
１１    情報取得部
１２    ＵＩ表示部
１３    操作受付部
１４    端末通信部
１５    ファイル表示部
１６    ファイル処理部
１７    認証部
２１    スキャンフォルダ
２２    プリントフォルダ
３０    複合機
５０    写真印刷装置
５１    情報提供部
５２    操作受付部
５３    携帯通信部
５４    全体制御部
５５    写真印刷部
５６    画面表示部
５７    複合機通信部
６０    文書サーバ
１００  画像処理システム
【先行技術文献】
【特許文献】
【０２２７】
【特許文献１】特開2016-25490号公報
【図１】
2018026054.tif 000006
【図２】
2018026054.tif 000007
【図３】
2018026054.tif 000008
【図４】
2018026054.tif 000009
【図５】
2018026054.tif 000010
【図６】
2018026054.tif 000011
【図７】
2018026054.tif 000012
【図８】
2018026054.tif 000013
【図９】
2018026054.tif 000014
【図１０】
2018026054.tif 000015
【図１１】
2018026054.tif 000016
【図１２】
2018026054.tif 000017
【図１３】
2018026054.tif 000018
【図１４】
2018026054.tif 000019
【図１５】
2018026054.tif 000020
【図１６】
2018026054.tif 000021
【図１７】
2018026054.tif 000022
【図１８】
2018026054.tif 000023
【図１９】
2018026054.tif 000024
【図２０】
2018026054.tif 000025
【図２１】
2018026054.tif 000026
【図２２】
2018026054.tif 000027
【図２３】
2018026054.tif 000028
【図２４】
2018026054.tif 000029
【図２５】
2018026054.tif 000030
【図２６】
2018026054.tif 000031
【図２７】
2018026054.tif 000032
【図２８】
2018026054.tif 000033